(57)【要約】【課題】体育館等の競技室床面を、材質を異にする床面への変更が容易とした。【解決手段】敷設室２前後の一端へ収納室３を設けた競技室１の前後方向へ、平行に複数のレール４を横設し、又敷設室内レール部分は巾広としてその上面中央部を第１走行面４ａに、かつ側方部分上面を第２水平走行面４ｂとし、収納室３内へは第１走行面を延長させておき、第１走行面４ａを走行する駆動台車１３をヒンジ１２を介して前後方向中間部両側へ付設し、かつ該両側の前後へローラ１４を付設した多数床ユニット１１を設け、又該床ユニットの表裏両面は異る材質の第１、第２表皮で形成しておき、これ等床ユニットが収納室３内へある状態では垂直ないし傾斜し、敷設室２への繰出しによりローラ１４が第２水平走行面４ｂへ乗って水平となり、又収納室内で床ユニットはヒンジを中心に回動可能とした。【選択図】図１
2004308306.tif 000002
【特許請求の範囲】
【請求項１】
敷設室前後の一端へ収納室を付設した競技室と、
該競技室の前後方向へ、平行に横設した複数のレールと、
上記レール上へ走行自在に載置されて収納室内からの繰出しにより前後端面を接して上記レール間全面へ敷設でき、かつ収納室内への繰込みにより垂直ないし傾斜状態で収納可能とした、必要数の床ユニットとを有し、
上記レールは、敷設室内部分を巾広として左右方向中間部上面を第１走行面に、かつ上面側部を第２水平走行面に、それぞれ形成すると共に収納室内部分は、上記第１走行面だけで巾狭に形成しておき、
上記床ユニットは、表裏両面を材質を異にする第１、第２表皮にすると共に、左右両側面の前後両部へ付設したローラを第２水平走行面上へ、かつ前後方向中間部へヒンジを介して付設した駆動台車を第１走行面上へ、それぞれ走行可能に載置させ、収納室内にあってはヒンジを介して床ユニットの回動が可能に形成した
ことを特徴とする多目的可動床装置。
【請求項２】
上記敷設室底面を板張り等の剛性床面で形成すると共に、収納室底面を上記床面よりも深く下方へ形成し、
又レールは、複数の持運び容易なレール分割部分を連続させ、かつ上記床上面に対して各レール部分が着脱自在に形成した
ことを特徴とする、請求項１記載の多目的可動床装置。
【請求項３】
上記競技室の前後方向一端に設けた第１の収納室と対向させて、前後方向他端にも第２の収納室を形成して、上記第１の収納室内へ出入させる多数の床ユニットとは別に、第２収納室内へ出入させる多数の床ユニットを設け、該第２収納室内へ出入させる床ユニットの表裏両面を、第１、第２表皮と異る材質の第３、第４表皮で形成し、これ等第３と第４の表皮も互いに材質を異にして形成した
ことを特徴とする、請求項１又は２記載の多目的可動床装置。
【請求項４】
上記複数レール間へ、前後両端面を突合せて複数の床ユニットを敷き詰めた状態で、レールの上方など床ユニットを敷設しない部分へ、表裏両面の材質を異にしかつ床ユニット上面と同一材質の上面を有する繋ぎパネルを敷設し、それ等多数の床ユニット上面と繋ぎパネル上面とをほぼ面一に連続させた
ことを特徴とする、請求項１、２又は３記載の多目的可動床装置。
【請求項５】
上記収納室出入口部分において、第２水平走行面端部を、レール側面に沿って収納室下方側へ下降する第２傾斜走行面として延長形成した
ことを特徴とする、請求項１、２、３又は４記載の多目的可動床装置。
【請求項６】
上記ヒンジを中心とする、床ユニットの一半を他半よりも重く設けて、収納位置でその一半が下方に位置する状態からの床ユニット繰出しにより、下方ローラが第２傾斜走行面へ接したまま上昇して第２水平走行面上へ移動し、又上記敷設状態から収納室内への繰込み時には、上記一半側のローラが第２傾斜走行面に沿って下降可能に形成した
ことを特徴とする、請求項５記載の多目的可動床装置。
【請求項７】
上記収納室と収納室出入口との境界部分へ制止板を設けて、該制止板は第１位置と第２位置との間を自由に移動できると共にそれ等両位置での停止が可能となし、
制止板が第１位置へ停止する状態にあっては、床ユニット繰出し時に上方ローラが制止板に接してヒンジを中心に回動することで、下方ローラは第２水平走行面へ、又上方ローラは第２傾斜走行面上方へ、それぞれ移動し、
制止板が第２位置へ停止する状態にあっては、出入する床パネルと不接触とした
ことを特徴とする、請求項１、２、３、４、５又は６記載の多目的可動床装置。
【発明の詳細な説明】
【０００１】
【発明の属する技術分野】
本発明は、多目的可動床装置に関する。
【０００２】
【従来の技術】
グランド等を、回転可能に軸支した多数の基盤で形成し、その基盤の一面を天然芝で、かつ他面を人工芝等の人工素材で形成して、上記グランド上面の全体を天然芝としたり、人工芝等としたり、グランドで行う競技に応じて変更使用することが特許文献１に示されている。
【０００３】
又支持床の両側部に巻取装置を配備させて、一方巻取装置に巻装させたベルト端部を他方の巻取装置へ取付け、又ベルト上へは、数種類の異る材質の床材を上記支持床の巾部分宛付設しておき、上記両巻取装置一方によるベルト巻取りにより、必要とする材質の床材で上記支持床上面を覆うことが可能とすることが特許文献２に示されている。
【０００４】
【特許文献１】
実用新案登録  第２５９４５９７号公報
【特許文献２】
特公平７−８１４１２号公報
【０００５】
【発明が解決しようとする課題】
本発明は、体育館、集会所等の床面を、レール上へ載置された多数の床ユニットで使用目的に応じて異る材質に変更可能とするものであり、その床面の変更が容易かつ迅速に、又確実に行えるよう設けたものである。
【０００６】
【課題を解決するための手段】
第１の手段として敷設室前後の一端へ収納室を付設した競技室と、
該競技室の前後方向へ、平行に横設した複数のレールと、
上記レール上へ走行自在に載置されて収納室内からの繰出しにより前後端面を接して上記レール間全面へ敷設でき、かつ収納室内への繰込みにより垂直ないし傾斜状態で収納可能とした、必要数の床ユニットとを有し、
上記レールは、敷設室内部分を巾広として左右方向中間部上面を第１走行面に、かつ上面側部を第２水平走行面に、それぞれ形成すると共に収納室内部分は、上記第１走行面だけで巾狭に形成しておき、
上記床ユニットは、表裏両面を材質を異にする第１、第２表皮にすると共に、左右両側面の前後両部へ付設したローラを第２水平走行面上へ、かつ前後方向中間部へヒンジを介して付設した駆動台車を第１走行面上へ、それぞれ走行可能に載置させ、収納室内にあってはヒンジを介して床ユニットの回動が可能に形成した。
【０００７】
第２の手段として、上記第１の手段を有すると共に上記敷設室底面を板張り等の剛性床面で形成すると共に、収納室底面を上記床面よりも深く下方へ形成し、
又レールは、複数の持運び容易なレール分割部分を連続させ、かつ上記床上面に対して各レール部分が着脱自在に形成した。
【０００８】
第３の手段として、上記第１又は第２の手段を有すると共に上記競技室の前後方向一端に設けた第１の収納室と対向させて、前後方向他端にも第２の収納室を形成して、上記第１の収納室内へ出入させる多数の床ユニットとは別に、第２収納室内へ出入させる多数の床ユニットを設け、該第２収納室内へ出入させる床ユニットの表裏両面を、第１、第２表皮と異る材質の第３、第４表皮で形成し、これ等第３と第４の表皮も互いに材質を異にして形成した。
【０００９】
第４の手段として、上記第１、第２又は第３の手段を有すると共に上記複数レール間へ、前後両端面を突合せて複数の床ユニットを敷き詰めた状態で、レールの上方など床ユニットを敷設しない部分へ、表裏両面の材質を異にしかつ床ユニット上面と同一材質の上面を有する繋ぎパネルを敷設し、それ等多数の床ユニット上面と繋ぎパネル上面とをほぼ面一に連続させた。
【００１０】
第５の手段として、上記第１、第２第３又は第４の手段を有すると共に上記収納室出入口部分において、第２水平走行面端部を、レール側面に沿って収納室下方側へ下降する第２傾斜走行面として延長形成した。
【００１１】
第６の手段として、上記第５の手段を有すると共に上記ヒンジを中心とする、床ユニットの一半を他半よりも重く設けて、収納位置でその一半が下方に位置する状態からの床ユニット繰出しにより、下方ローラが第２傾斜走行面へ接したまま上昇して第２水平走行面上へ移動し、又上記敷設状態から収納室内への繰込み時には、上記一半側のローラが第２傾斜走行面に沿って下降可能に形成した。
【００１２】
第７の手段として、上記第１、第２、第３、第４、第５又は第６の手段を有すると共に上記収納室と収納室出入口との境界部分へ制止板を設けて、該制止板は第１位置と第２位置との間を自由に移動できると共にそれ等両位置での停止が可能となし、
制止板が第１位置へ停止する状態にあっては、床ユニット繰出し時に上方ローラが制止板に接してヒンジを中心に回動することで、下方ローラは第２水平走行面へ、又上方ローラは第２傾斜走行面上方へ、それぞれ移動し、
制止板が第２位置へ停止する状態にあっては、出入する床パネルと不接触とした。
【００１３】
【発明の実施の形態】
以下図面につき説明する。まず図１から図９が示す第１実施形態について説明すると、１は体育館の競技室で、該競技室は敷設室２の後方に収納室３を有し、前後方向へ平行にかつ等間隔に複数のレール４を横設している。
【００１４】
これ等レールは、敷設室２内部分において巾広とし、収納室３内部分においては巾狭としている。つまり敷設室内部分においてはレール左右方向中間部上面を第１走行面４ａとし、その左右両側上面を第２水平走行面４ｂとしているが、収納室内部分においては第１走行面だけとし、第２水平走行面４ｂは、図２が示すように収納室出入口部分３ａにおいて、斜下方向へ下降させて第２傾斜走行面４ｃとし、その下端を第２傾斜走行面４ｃの下端部としている。尚競技室の左右壁面側のレールは、競技室内方側へだけ第２水平走行面および第２傾斜走行面を形成している。上記レール４は図５が示すように凹字形状としてその底部を第１走行面４ａに、左右両側の高い部分を第２水平走行面４ｂに形成するとよいが、図６が示すようにレール上面を水平にすることもある。
【００１５】
上記レール４上へは、床ユニット１１を載置させる。該床ユニットは図２、図４が示すように左右両側面の前後方向中間部にヒンジ１２を介して駆動台車１３を、かつ前後両部にローラ１４、１４を有し、駆動台車を第１走行面４ａ上へ、又ローラを第２水平走行面４ｂ上へ、それぞれ載置させて走行可能とする。又該床ユニットは、表裏両面を、例えば畳とマットとのように異る材質の第１表皮１５ａと第２表皮１５ｂとで形成している。
【００１６】
床ユニット１１の繰出し、繰込みは次のようにして行う。床ユニット１１の前後方向一半１１ａを他半１１ｂよりも重く形成しておくことで、図２が示すように収納室３内にあってはその一半１１ａが下方へ位置し、他半１１ｂが上方へ位置する。該状態から駆動台車１３を敷設室２方向へ進行させると、床ユニット下方側のローラ１４が第２傾斜走行面４ｃに接し、次第に傾斜面に沿って上昇することで、ヒンジ１２を中心に床ユニット１１は回動して水平となり、前後の両ローラは共に第２水平走行面４ｂ上へ乗り、敷設室２へ繰出す。床ユニット一半を重くする方法としては、後述のようにその一半を長くすることのほか、ヒンジ１２からローラ１４までの長さを一半１１ａ側を長くするとか、その一半内へ錘りを入れる等、その他どのような方法でもよい。
【００１７】
繰込みの際は、上記一半１１ａ側のローラ１４が第２傾斜走行面４ｃに沿って下降することで床ユニット１１は次第に傾斜し、その一半１１ａ側のローラ１４が傾斜面下端から離れることで床パネルは垂直となり、収納室の奥部内へ移動する。
【００１８】
図２の繰出し状態で、裏面に位置していた第２表皮１５ｂを、上面として繰出す際には、図３が示すように収納室３と出入口３ａとの境界部分に設けた制止板２１を所定の第１位置へ移動させる。すると、収納所奥部内にあって垂直状態となっていた床ユニット１１の上方ローラ１４は、図３、図７、図８が示すように制止板２１に接することで垂直状態での繰出しが妨げられ、駆動台車１３の進行と共にその制止板の傾斜後面２２に沿って下降することとなり、よって床ユニット１１はヒンジ１２を中心に回動して下半を進行方向へ上昇させて傾斜し、このようにして下半のローラ１４が第２水平走行面４ｂ上へ乗上げ、よって床ユニット１１は水平状態となって繰出しされる。制止板２１は繰出し完了後、第２位置へ移動させる。
【００１９】
該図３状態からの繰込み時には、上記他半１１ｂ側は軽量であるため、一半１１ａ側のローラ１４が第２水平走行面４ａ上に位置する状態では他半１１ｂ側ローラはレールから離れたままで進行し、一半１１ａ側のローラ１４が第２傾斜走行面４ｃに沿って下降するに従って床ユニット１１は回動して垂直となる。尚このとき、該床ユニットの第２表皮１５ｂは出入口側に位置することとなる。
【００２０】
次回繰出しの際、その第２表皮１５ｂを再び上面としたい場合は、制止板２１を使用して図３のように繰出せばよく、下面として繰出したい場合は図２のように繰出しすればよい。
【００２１】
制止板２１は、図７、図８が示す第１位置と、図９、図１０とが示す第２位置とを自由に変更可能に設けておく。第１位置にあっては、図３のように垂直状態にある床ユニット１１の上方側ローラが繰出し時制止板２１の傾斜後面２２に接してヒンジ１２を中心に回動して次第に下降するよう設けており、第２位置へ移動させると、図２の場合のように該制止板２１へ床ユニット１１は全く接触しないよう設けている。尚これ等図７から図１０は、制止板２１が上下動して、その下降位置を第１位置に、上昇位置を第２位置としているが、図１１と図１２とが示す変形例のように、レール４上方から床ユニット側へ移動させることで、上方側ローラ１４が制止板に接し、又レール４上方へ戻すことで制止板２１へ触れないようにすることも可能である。尚２３は制止板２１を移動させるためのガイド板である。
【００２２】
すべての床ユニット１１の敷き詰めが終った繰出し状態において、隣合うレール４、４間には各床ユニットが前後両端面を接して隙間なく敷設されるが、各レール４上方には、図５が示すように、複数の繋ぎパネル１６を敷設する。このためには床ユニット上下両面の左右両側部に凹部１７を設けて、レールを挾んで隣合う各床ユニット間へ繋ぎパネル１６を、該繋ぎパネルの左右両側部を凹部１７内へ嵌合させることで、敷設する。尚繋ぎパネルもその表裏を第１、第２表皮で形成する。
【００２３】
図４が示すように、床ユニット敷設状態において、敷設室２前端側へも、隙間部分５が形成される場合もあるが、該隙間部分も別に設けた繋ぎパネル１６で閉塞すればよい。尚このような隙間部分は、別に設けたシャッターの開閉によりその隙間部分を競技室外方へ位置させることも考えられる。
【００２４】
尚図１は競技室へ５本のレール４を横設した例を示しているが、競技室の広さ、床ユニットの巾等に応じてレール本数を変えればよく、又大きく設けた部屋の一部だけを、上記競技室として使用することも考えられ、従ってレール本数が二本の場合もあり得る。
【００２５】
以下第２から第６実施形態について説明するが、第１実施形態と同一部分については同一符号を付することで説明を省略する。
【００２６】
図１３と図１４とは、第２実施形態を示す。該実施形態は、既述第１実施形態における収納室３を、競技室１の前後にそれぞれ設けた例を示し、それぞれの収納室内には、所定数の床ユニット１１を収納可能としている。但し両収納室用の床ユニットは、一方収納室内床ユニット表裏の第１、第２表皮に対して他方収納室内床ユニット表裏の表皮は異る材質として、第３、第４表皮１５ｃ、１５ｄとする。例えば第１、第２表皮を形成する畳とマットに対して、第３表皮を人工芝とし、第４表皮を床板とする。尚該他方収納室内収納用の床ユニットと共に使用する繋ぎパネルには、第３、第４表皮を付設する。
【００２７】
よって図１３が示すように、図左方の収納室内床ユニットの表裏両面使用の繰出しによって、第１表皮全面使用と第２表皮全面使用の変更が可能となり、又図１４のように図右方収納室内床ユニットの表裏両面使用の繰出しによって、第３表皮全面使用と第４表皮全面使用の変更を可能とすることが出来る。
【００２８】
図１５は第３実施形態を示す。該実施形態は、収納室３内の上下方向空間が挾い場合の収納方法を示すもので、収納室３内のレール部分下方へ補助レール６を横設している。該補助レール６は、既述第２傾斜走行面４ｃ下端との間に適宜間隙をおいて、出入口側から収納室奥部側へ上昇傾斜し、かつ該傾斜部分上端から収納室奥部へ水平に設けたものであり、傾斜部分６ａ下端は、垂直に位置する床ユニット１１の下方ローラ１４の下面よりも下方に、又傾斜部分上端はその下方ローラよりも上方に位置させてあり、よって床ユニット１１が収納室奥部へ移動することで下方ローラが上昇して床ユニットが傾斜し、このようにして各床ユニットは傾斜状態で収納されるものである。床ユニット繰出し時には、下方ローラが上記傾斜部分６ａに沿って下降し、該傾斜部分下端と第２傾斜走行面４ｃ下端との間へ入ったとき垂直となり、次いで下方ローラが第２傾斜走行面へ接して進行することで、床ユニット１１は水平となる。
【００２９】
図１６は第４実施形態を示す。該実施形態は収納室３の天井高さが低く、該収納室内へ垂直に収納させた床ユニット１１の上面高さを敷設された床面とほぼ同一平面上へ位置させた例を示す。
【００３０】
この場合は収納室出入口３ａと敷設室２との境界部において、レール４を出入口側へ下降傾斜させ、該下降レールの下端部分から第２傾斜走行面４ｃを延長させると共に第１走行面４ａを水平として収納室３奥部へ延長したものである。該実施形態での繰出し、繰込みは第１実施形態の場合と同様に行えばよい。
【００３１】
尚該実施形態にあっては床ユニットの左右側面へ枢着させるヒンジの位置を、床ユニットの一半を長く他半を短かくすることで、他半よりも一半を重くし、従って収納室内にあっては、ヒンジ１２を中心に回動して、その一半が下方へ位置するよう設けている。床ユニット一半１１ａを長くして他半１１ｂよりも重くすることは図１７、図１８が示す第５実施形態においても同様である。
【００３２】
該実施形態の場合も、繰出し、繰込み、又繰出しに際しての床ユニットの反転は第１実施形態の場合と同様に行うことが出来る。
【００３３】
図１９、図２０は第６実施形態を示す。該実施形態は、敷設室２を予め板張り等の剛性床面７で形成しておき、床面表皮変更の際は上記剛性床面上へレール４を平行に複数横設すると共に該敷設室前後の一端ないし両端へ収納室を形成し、又床ユニットを多数設けて収納させ、繰出し、繰込みが自在にするものである。
【００３４】
この場合は、運搬が可能にレール４を複数の分割部分４ｄで形成し、着脱自在に連結させて上記床面へ固定すればよい。図示例は分割部分４ｄ側面へ付設した固定板８で上記剛性床面へ取付けできるよう設けている。
【００３５】
該実施形態にあっては剛性床面７が第５表皮を形成することとなり、既述第１、第２表皮、および第３、第４表皮の１つと併せて使用することで、最大限５通りの表皮変更が可能となる。
【００３６】
【発明の効果】
本発明は既述構成とするもので、請求項１記載の構成とすることで、床ユニット１１の表裏両面に付設した第１表皮と第２表皮とのうち、任意の一方表皮を床面として使用でき、又その床ユニットは収納室内での回動が可能であるから、床面を第１表皮から第２表皮へ、又第２表皮から第１表皮への変更が容易である。又床ユニットは駆動台車とローラとでレール上を走行させるから、収納室内からの繰出し、又収納室内への繰込みを迅速かつ容易に行うことが出来る。
【００３７】
又収納室内で床ユニットは垂直ないし傾斜状態で収納させるから、収納室広さを有効に用いることが出来る。
【００３８】
請求項２のようにすることで、予め張設してある剛性床面をそのまま使用することが可能であり、このようにすることで材質が異る３通りの床面への変更使用が可能となる。
【００３９】
請求項３のようにすることで、更に異る床面を用意でき、最大限度５通りの床面使用が可能となる。
【００４０】
請求項４のようにすることで、競技室前後方向へ平行に横設するレール数を３本以上として、レール間には床ユニットを、レール上方へは繋ぎ小形パネルを、それぞれ敷設することで、敷設室全面を同一材質の床面として使用することが出来る。
【００４１】
請求項５、６のようにすることで、垂直ないし傾斜状態で行う床ユニットの収納を行い易く、又繰出しの際も便利となる。
【００４２】
請求項７のようにすることで、繰出しされる床ユニット上下両面の反転が容易となる。
【図面の簡単な説明】
【図１】一部の床ユニット繰出し状態で示す、競技室の平面図である。
【図２】床ユニット収納状態と繰出し状態とを示す側面図である。
【図３】床ユニットを反転させて繰出し方法の説明図である。
【図４】床ユニット繰出しにより形成された床面一部を示す平面図である。
【図５】図４一部の縦断面図である。
【図６】レールの一部を示す斜視図である。
【図７】収納された床ユニットと該床ユニット反転用制止板との位置関係を示す側面図である。
【図８】図７を前方からみた正面図である。
【図９】図７の状態から制止板を上昇させた状態で示す側面図である。
【図１０】図９を前方からみた正面図である。
【図１１】図８を変形例で示す正面図である。
【図１２】図１１の状態から制止板を移動させて示す正面図である。
【図１３】第２実施形態で示す、競技室の断面図で、一方収納室内床ユニットの一部繰出し状態を示す図である。
【図１４】図１３と異る例の他方収納室内床ユニットの一部繰出し状態を示す図である。
【図１５】第３実施形態で示す、床ユニット収納状態を示す側面図である。
【図１６】第４実施形態で示す、床ユニット収納状態を示す側面図である。
【図１７】第５実施形態で示す、床ユニット収納状態を示す側面図である。
【図１８】図１７状態からの床ユニット繰出し状態を示す側面図である。
【図１９】第６実施形態で示す、レール横設方法の説明図である。
【図２０】図１９方法で横設されたレールの斜視図である。
【符号の説明】
１…競技室                          ２…敷設室
３…収納室                          ３ａ…出入口
４…レール                          ４ａ…第１走行面
４ｂ…第２水平走行面                ４ｃ…第２傾斜走行面
４ｄ…分割部分                      ５…隙間部分
６…補助レール                      ７…剛性床面
１１…床ユニット                    １１ａ…一半（重）
１１ｂ…他半（軽）                    １２…ヒンジ
１３…駆動台車                      １４…ローラ
１５ａ…第１表皮                      １５ｂ…第２表皮
１５ｃ…第３表皮                      １５ｄ…第４表皮
１６…繋ぎパネル                    ２１…制止板
【図１】
2004308306.tif 000003
【図２】
2004308306.tif 000004
【図３】
2004308306.tif 000005
【図４】
2004308306.tif 000006
【図５】
2004308306.tif 000007
【図６】
2004308306.tif 000008
【図７】
2004308306.tif 000009
【図８】
2004308306.tif 000010
【図９】
2004308306.tif 000011
【図１０】
2004308306.tif 000012
【図１１】
2004308306.tif 000013
【図１２】
2004308306.tif 000014
【図１３】
2004308306.tif 000015
【図１４】
2004308306.tif 000016
【図１５】
2004308306.tif 000017
【図１６】
2004308306.tif 000018
【図１７】
2004308306.tif 000019
【図１８】
2004308306.tif 000020
【図１９】
2004308306.tif 000021
【図２０】
2004308306.tif 000022